(57)【要約】  この高周波焼入れ用鋼は、質量％で、Ｃ：０．７５％超〜１．２０％、Ｓｉ：０．００２〜３．００％、Ｍｎ：０．２０〜２．００％、Ｓ：０．００２〜０．１００％、Ａｌ：０．０５０％超〜３．００％を含有し、Ｐ：０．０５０％以下、Ｎ：０．０２００％以下、Ｏ：０．００３０％以下に制限し、残部がＦｅ及び不可避的不純物を含み、鋼中のＡｌおよびＮの質量％の含有量が、Ａｌ−（２７／１４）×Ｎ＞０．０５０％を満足する。【特許請求の範囲】
【請求項１】
質量％で、
Ｃ：０．７５％超〜１．２０％、
Ｓｉ：０．００２〜３．００％、
Ｍｎ：０．２０〜２．００％、
Ｓ：０．００２〜０．１００％、
Ａｌ：０．０５０％超〜３．００％を含有し、
Ｐ：０．０５０％以下、
Ｎ：０．０２００％以下、
Ｏ：０．００３０％以下に制限し、残部がＦｅ及び不可避的不純物からなり、
ＡｌおよびＮの質量％の含有量が、Ａｌ−（２７／１４）×Ｎ＞０．０５０％を満足することを特徴とする高周波焼入れ用鋼。
【請求項２】
質量％で、Ｂ：０．０００５〜０．００５０％を更に含有することを特徴とする請求項１に記載の高周波焼入れ用鋼。
【請求項３】
質量％で、Ｃｒ：０．０５〜０．３０％未満、Ｍｏ：０．０１〜１．００％、Ｃｕ：０．０５〜１．００％、Ｎｉ：０．０５〜２．００％の内の１種または２種以上を更に含有することを特徴とする請求項１または２に記載の高周波焼入れ用鋼。
【請求項４】
質量％で、Ｖ：０．００５〜０．２０％未満、Ｎｂ：０．００５〜０．１０％、Ｔｉ：０．００５〜０．１０％の内の１種または２種以上を更に含有することを特徴とする請求項１または２に記載の高周波焼入れ用鋼。
【請求項５】
質量％で、Ｃａ：０．０００５〜０．００３０％、Ｚｒ：０．０００５〜０．００３０％、Ｍｇ：０．０００５〜０．００３０％の内の１種または２種以上を更に含有することを特徴とする請求項１または２に記載の高周波焼入れ用鋼。
【請求項６】
請求項１または２に記載の高周波焼入れ用鋼の組成を持つ高周波焼入れ用粗形材であって、
前記高周波焼入れ用粗形材に含まれる平均粒径０．５μｍ以上の黒鉛粒の個数が４０個／ｍｍ２以下であることを特徴とする高周波焼入れ用粗形材。
【請求項７】
請求項１または２に記載の高周波焼入れ用鋼を用いて、温間加工または熱間加工、冷却、焼鈍の工程を順次行い、
前記焼鈍で焼鈍温度を６８０〜８００℃、焼鈍時間を１０〜３６０分の条件で行う、
ことを特徴とする高周波焼入れ用粗形材の製造方法。
【請求項８】
請求項７に記載の高周波焼入れ用粗形材の製造方法であって、前記冷却中の、７５０〜６５０℃の温度範囲の平均冷却速度が３００℃／時以下であることを特徴とする高周波焼入れ用粗形材の製造方法。
【請求項９】
請求項１または２に記載の高周波焼入れ用鋼を用いて、熱間加工、冷却の工程を順次行い、
前記冷却中の、７５０〜６５０℃の温度範囲の平均冷却速度が３００℃／時以下であることを特徴とする高周波焼入れ用粗形材の製造方法。
【請求項１０】
請求項１または２に記載の高周波焼入れ用鋼を用いて製造した高周波焼入れ鋼部品であって、
前記高周波焼入れ鋼部品の最表面から５０μｍ深さの表層硬化部の硬さがＨＶ６５０以上であり、
非高周波焼入れ部の硬さがＨＶ１８０以上であり、
前記非高周波焼入れ部に存在している平均粒径０．５μｍ以上の黒鉛粒の個数が４０個／ｍｍ２以下であることを特徴とする高周波焼入れ鋼部品。
【発明の詳細な説明】
【技術分野】
【０００１】
本発明は、高周波焼入れ用鋼、高周波焼入れ用粗形材、その製造方法、及び高周波焼入れ鋼部品に関する。
本願は、２０１０年３月３０日に、日本に出願された特願２０１０−０７８２３２号に基づき優先権を主張し、その内容をここに援用する。
【背景技術】
【０００２】
自動車、建機・農機、発電用風車、その他の産業機械等に使用されている動力伝達部品（たとえば、歯車、軸受、ＣＶＴシーブ、シャフト等）は、部品の疲労特性の向上、耐磨耗性の向上等の目的から表面硬化処理を施されて使用されることがほとんどである。複数の表面硬化処理が知られている中でも、浸炭処理は表面の硬さ、硬化層の深さ、生産性等の点で他の表面硬化処理よりも優れるため、適用部品が非常に多い。例えば、歯車、軸受部品の製造工程では、通常はＪＩＳのＳＣＭ４２０、ＳＣＲ４２０、ＳＮＣＭ２２０等の中炭素合金鋼を用いて熱間鍛造、冷間鍛造、切削、又はこれらの組み合わせによって所定の形状を得るように機械加工を施し、その後浸炭処理や浸炭窒化処理を行う。歯車の疲労破壊は曲げ疲労（歯元疲労）と、歯面疲労（ピッチング等）とに大別される。歯車部品の高強度化を図るためには、この２種の疲労強度を両方とも向上させることが必要である。浸炭処理によって製造される歯車は硬化層の硬さが極めて高いため、曲げ疲労強度、疲労強度ともに優れた性能を有するという特徴がある。【０００３】
しかしながら、浸炭処理はガス雰囲気中でのバッチ処理であり、例えば９３０℃近傍で数時間以上の加熱保持を要するため、多大な設備費及び処理エネルギーとコストが費やされる。また、浸炭処理はＣＯ２の排出量が多く、環境面でも問題がある。また、バッチ処理であるので、浸炭処理時における部品の積載位置の差によって熱処理変形による部品精度のばらつきを生じる余地が大きく、部品精度の管理が難しいという欠点がある。この熱処理変形に関する欠点を克服するため、材料面、操業面から多大な努力が払われおり、一定の改善効果が得られてきた。しかし、未だ抜本的な解決方法は見出されておらず、十分なレベルには達しているとは言えない。【０００４】
これらの問題を解決するため、浸炭処理の代替を目的とした高周波焼入れ（電磁誘導焼入れ）処理の適用に関する研究がなされてきた。高周波焼入れ処理は浸炭処理に比べて処理時間の大幅な短縮や処理に要するエネルギーを低減できるため、生産性や低コスト化の面で有利である。更にはＣＯ２の排出も少なく、また焼入れ油の環境への排出もないため、環境面でも有利である。また、高周波焼入れ処理は浸炭処理と異なり、熱処理の影響を受ける部位が表面付近に限られるため、本質的に熱処理変形が小さい。更に処理時間が短いため連続処理化が容易であり、熱処理変形による部品精度のばらつきの管理が容易になるという長所もある。【０００５】
一方、上記のような長所があるにも関わらず、浸炭処理の代替として高周波焼入れ処理が普及していない最大の理由は、部品の歯面疲労強度（ピッチング強度等）の確保と、部品成型時の加工性（被削性、冷鍛性）との両立が極めて困難であるためである。歯車のみならず、ＣＶＴシーブ、軸受類は歯面疲労や転動疲労といった面疲労を確保する必要がある。このような部品は、部品の使用中に部品の接触面の表面温度が３００℃程度まで上昇するため、３００℃での硬さ（又は３００℃焼戻し後の硬さ、以下３００℃焼戻し硬さという）が面疲労強度と強く相関していることが報告されている。浸炭焼入れ処理や高周波焼入れ処理で得られるマルテンサイト組織の３００℃焼戻し硬さは、表層の炭素量が多いほど向上する。３００℃焼戻し硬さは合金元素の添加によっても影響を受けるが、炭素量の影響の方が大きい。また合金元素の添加による３００℃焼戻し硬さの改善の効果は、炭素量が多いほど大きくなる。従って、浸炭処理部品と同等の面疲労強度を得ようとする場合、浸炭処理された部品の表層部と同等程度の炭素量（０．８０％近傍）にする必要がある。しかしながら部品の炭素量の増加は鋼素材硬さの上昇を招くため、部品の加工性（被削性、冷鍛性）が著しく低下し、工業生産には適さない。すなわち、鋼素材の高炭素化と加工性の確保の両立が不可欠である。【０００６】
例えば、特許文献１〜６には、中炭素鋼（Ｃ：〜０．６５％）に対して高周波焼入れを施すことによって部品を製造する技術が記載されている。しかしながら、炭素量が浸炭処理された部品の表層部よりも大幅に少ないため、加工性はそれほど劣化しないものの、浸炭部品と比べて歯面疲労強度が低下する。このため、この技術で浸炭を代替することはできない。例えば、特許文献７〜１３には、比較的高炭素の鋼（Ｃ：〜０．７５％）に対して高周波焼入れを施すことによって歯面疲労強度を改善した部品を得る技術が記載されている。しかしながら、依然として炭素量が浸炭処理された部品の表層部よりも少ないため、浸炭部品に匹敵する歯面疲労強度には達しない。また、これらの鋼では炭素量の増加に伴って加工性が顕著に低下するが、これに対する改善技術が不十分であるため、結局歯面疲労強度、加工性ともに不十分であり、浸炭を代替することはできない。【０００７】
例えば、特許文献１４〜１７には、比較的高炭素の鋼（Ｃ：〜０．７５％）に対して適切な圧延条件、鍛造条件、冷却条件を規定することにより加工性等を改善することを意図した技術が記載されている。しかしながら、上記と同様、依然として炭素量が浸炭処理部品よりも少ないため、浸炭部品に匹敵する歯面疲労強度には達せず、浸炭を代替することはできない。【０００８】
例えば、特許文献１８〜２３に記載された技術では、浸炭処理された部品の表層部に匹敵する高炭素成分を含む鋼に対して必要に応じて熱処理を施し、その後高周波焼入れを施す。これによってマルテンサイト組織中に合金炭化物が分散した組織を持つ硬化層を形成し、これにより高い歯面疲労強度を持つ部品を得る。しかしながらこれらの技術では、合金炭化物を分散させるため、ＣｒやＶ、Ｔｉ、Ｎｂ等の合金添加量が多い。従って歯面疲労強度は浸炭部品以上の性能が得られるものの、炭素量の増加と合金添加量の増加が相俟って加工性が顕著に低下する。従って、一部の特殊な部品への適用を除いて、コスト・生産性等の観点から大量生産品への適用・実用化は難しいため、浸炭を代替する実用的な技術とは言えない。【０００９】
例えば、特許文献２４〜２６には、浸炭処理された部品の表層部に匹敵する高炭素成分を含む鋼に対して必要に応じて熱処理を施し、その後高周波焼入れを施すことによって歯面疲労強度を改善した部品を得る技術が記載されている。しかしながら加工性に対する改善技術が不十分であるため、やはり浸炭を代替することはできない。【００１０】
例えば、特許文献２７には、高炭素の鋼（Ｃ：０．８０〜１．５０％）を用いて、一定量以上の黒鉛を析出させ、被削性を改善することを意図した技術が記載されている。特許文献２７には高周波焼入れ鋼部品への適用例も示されているが、このような黒鉛が多く分散している鋼素材は、黒鉛がマトリックスに固溶し難く、また黒鉛が存在していた場所にボイドが生成するという問題がある。このため、この方法では、信頼性を要する動力伝達部品としての諸特性を損なう。黒鉛の溶け込みやボイドの解消を行う場合は高周波焼入れ条件を高温・長時間の特殊な条件で行わなくてはならない。このため、硬化層深さの制御が不可能、あるいは生産性の阻害という問題を生じる。この場合、上記のような高周波焼入れの有利な特徴を全く享受することができない。従って多くの黒鉛を分散させる技術は、動力伝達部品の高周波焼入れ処理に適用する場合は実用的な技術とは言えない。
【先行技術文献】
【特許文献】
【００１１】
【特許文献１】特開昭６２−１１２７２７号
【特許文献２】特許第３２３９４３２号
【特許文献３】特開平９−２９１３３７号
【特許文献４】特開２０００−３１９７２５号
【特許文献５】特開平１１−２６９６０１号
【特許文献６】特開２０００−１４４３０７号
【特許文献７】特開平７−１１８７９１号
【特許文献８】特開平１１−１７４９号
【特許文献９】特許第３２０８９６０号
【特許文献１０】特許第３５０３２８９号
【特許文献１１】特許第３４２８２８２号
【特許文献１２】特許第３５６２１９２号
【特許文献１３】特許第３８２３４１３号
【特許文献１４】特許第３４５８６０４号
【特許文献１５】特許第３５５０８８６号
【特許文献１６】特許第３６４４２１７号
【特許文献１７】特許第３６０６０２４号
【特許文献１８】特許第３６０７５８３号
【特許文献１９】特開２００２−５３９３０号
【特許文献２０】特開２００５−１６３１７３号
【特許文献２１】特許第４３９０５２６号
【特許文献２２】特許第４３９０５７６号
【特許文献２３】特開２００９−１０２７３３号
【特許文献２４】特開平８−７３９２９号
【特許文献２５】特開２００４−３００５５１号
【特許文献２６】特開２００８−２４８２８２号
【特許文献２７】特開平１１−３５００６６号
【発明の概要】
【発明が解決しようとする課題】
【００１２】
本発明は上記の実状を鑑み、高周波焼入れ処理した時の鋼部品の疲労強度（歯面疲労強度、歯元疲労強度等）が浸炭処理材と同等以上であり、かつ鋼部品の疲労強度の確保と、部品成型時の加工性とを両立することができる高周波焼入れ用鋼、高周波焼入れ用粗形材、その製造方法、及び高周波焼入れ鋼部品を提供することを目的とする。
【課題を解決するための手段】
【００１３】
以下の記載中、高周波焼入れ鋼部品を製造する目的で鋳造され、必要に応じて均熱拡散、分塊圧延等の処理を施された鋼を高周波焼入れ用鋼と記載する。この高周波焼入れ用鋼に対して、例えば温間鍛造、熱間鍛造、熱間圧延、除冷、焼鈍等の工程のいずれか一つ又は複数を施すことによって粗成型された中間素材を高周波焼入れ用粗形材（鋼素材とも呼ばれる；以下単に粗形材とも記載する）と記載する。更に、この粗形材に切削加工および／または冷間鍛造等の加工を施し、高周波焼入れと必要に応じてその他の工程を施すことによって高周波焼入れ鋼部品が製造される。
本発明者らは、上記のような課題を解決するため検討を行い、以下の結果を見出した。（ａ）炭素量が０．７５％を超える高炭素鋼素材の強度の支配因子はパーライトの強度である。従って、切削加工や冷間鍛造前の粗形材を製造する際に、適正な条件で焼鈍を行うことによってパーライトの強度が低下して軟質化を図ることができ、被削性及び冷鍛性を向上することができる。（ｂ）あるいは、粗形材を熱間加工によって製造する場合、熱間加工後の冷却過程において適切な冷却を行うことによってパーライトの強度が低下して軟質化が実現できる。（ｃ）また、鋼成分としては、合金元素を過剰に添加せず、なおかつ従来鋼に比べてＡｌ量を大幅に増加することにより、炭素量を増加して切削加工前の粗形材強度が増加しても被削性の低下が抑制できる。
本発明者らは、上記の技術を適切に活用することによって本発明を完成したものであり、その要旨は下記の通りである。【００１４】
（１）本発明の一態様に係る高周波焼入れ用鋼は、質量％で、Ｃ：０．７５％超〜１．２０％、Ｓｉ：０．００２〜３．００％、Ｍｎ：０．２０〜２．００％、Ｓ：０．００２〜０．１００％、Ａｌ：０．０５０％超〜３．００％を含有し、Ｐ：０．０５０％以下、Ｎ：０．０２００％以下、Ｏ：０．００３０％以下に制限し、残部がＦｅ及び不可避的不純物からなり、ＡｌおよびＮの質量％の含有量が、Ａｌ−（２７／１４）×Ｎ＞０．０５０％を満足する。【００１５】
（２）上記（１）に記載の高周波焼入れ用鋼は、質量％で、Ｂ：０．０００５〜０．００５０％を更に含有してもよい。【００１６】
（３）上記（１）または（２）に記載の高周波焼入れ用鋼は、質量％で、Ｃｒ：０．０５〜０．３０％未満、Ｍｏ：０．０１〜１．００％、Ｃｕ：０．０５〜１．００％、Ｎｉ：０．０５〜２．００％の内の１種または２種以上を更に含有してもよい。【００１７】
（４）上記（１）から（３）のいずれかに記載の高周波焼入れ用鋼は、質量％で、Ｖ：０．００５〜０．２０％未満、Ｎｂ：０．００５〜０．１０％、Ｔｉ：０．００５〜０．１０％の内の１種または２種以上を更に含有してもよい。【００１８】
（５）上記（１）から（４）のいずれかに記載の高周波焼入れ用鋼は、質量％で、Ｃａ：０．０００５〜０．００３０％、Ｚｒ：０．０００５〜０．００３０％、Ｍｇ：０．０００５〜０．００３０％の内の１種または２種以上を更に含有してもよい。【００１９】
（６）本発明の一態様に係る高周波焼入れ用粗形材は、上記（１）から（５）のいずれかに記載の高周波焼入れ用鋼の組成を持ち、前記高周波焼入れ用粗形材に含まれる平均粒径０．５μｍ以上の黒鉛粒の個数が４０個／ｍｍ２以下である。【００２０】
（７）本発明の一態様に係る高周波焼入れ用粗形材の製造方法は、上記（１）から（５）いずれかに記載の高周波焼入れ用鋼を用いて、温間加工または熱間加工、冷却、焼鈍の工程を順次行い、前記焼鈍で焼鈍温度を６８０〜８００℃、焼鈍時間を１０〜３６０分の条件で行う。【００２１】
（８）上記（７）に記載の高周波焼入れ鋼部品の製造方法で、前記冷却中の、７５０〜６５０℃の温度範囲の平均冷却速度が３００℃／時以下であってもよい。【００２２】
（９）本発明の一態様に係る高周波焼入れ用粗形材の製造方法は、上記（１）から（５）いずれかに記載の高周波焼入れ用鋼を用いて、熱間加工、冷却の工程を順次行い、前記冷却中の、７５０〜６５０℃の温度範囲の平均冷却速度が３００℃／時以下である。【００２３】
（１０）本発明の一態様に係る高周波焼入れ鋼部品は、上記（１）から（５）いずれかに記載の高周波焼入れ用鋼を用いて製造され、前記高周波焼入れ鋼部品の最表面から５０μｍ深さの表層硬化部の硬さがＨＶ６５０以上であり、非高周波焼入れ部の硬さがＨＶ１８０以上であり、前記非高周波焼入れ部に存在している平均粒径０．５μｍ以上の黒鉛粒の個数が４０個／ｍｍ２以下である。
【発明の効果】
【００２４】
本発明の各態様に係る高周波焼入れ用鋼、高周波焼入れ用粗形材、その製造方法、及び高周波焼入れ鋼部品によれば、高周波焼入れ処理した鋼部品の疲労強度（歯面疲労強度、歯元疲労強度等）が浸炭処理材と同等以上であり、同時に部品成型時の加工性も高い。このため、浸炭処理を高周波処理によって代替することが可能となる。これにより、表面硬化処理を連続化でき、環境への負担を低化でき、部品精度を向上できる。このため、自動車等の動力伝達部品（たとえば、歯車、軸受、シャフト、ＣＶＴシーブ等）の生産方法の改良を介して、自動車等の低コスト化、環境負荷低減、高性能化に大きく貢献できる。
【発明を実施するための形態】
【００２５】
本発明者らは、高炭素浸炭処理における浸炭層の炭化物の分散形態に及ぼす各種因子について鋭意検討し、高周波焼入れ鋼で浸炭鋼に匹敵する疲労強度を実現する方法を考察した結果、以下の知見を得た。
（ａ）  高周波焼入れ処理を行う粗形材の炭素量を増加するほど３００℃焼戻し硬さが上昇し、０．７５％を超えてＣを添加すると浸炭部品に匹敵する３００℃焼戻し硬さが得られる。これによって、高周波焼入れ処理された部品においても浸炭処理部品に匹敵する歯面疲労強度を確保することができる。
（ｂ）  鋼の炭素量が０．７５％を超える場合、部品成型加工（切削、冷鍛）前の粗形材の組織はほとんどがパーライト組織となる。このため、粗形材の硬さに対して、パーライト組織の強度（パーライトラメラ間隔に関係する）が支配的な影響を持つ。
（ｃ）  部品成型加工前の粗形材の製造過程で適切な焼鈍を施すことによって、微細なパーライトラメラを崩して軟質化することができ、加工性を改善することができる。
（ｄ）  一方、部品成型加工前の粗形材を熱間加工によって製造する場合、熱間加工後の冷却を適切に行うことによって、パーライトラメラ間隔を大きくし、軟質化することができ、加工性を改善することができる。
（ｅ）  上記（ｃ）,（ｄ）の組み合わせにより、粗形材を更に軟質化することができ、さらなる加工性の改善、あるいは焼鈍時間の短縮が可能となる。
（ｆ）  従来鋼よりもＡｌ添加量を大幅に増加し、同時にＮ量を抑制して、固溶Ａｌ量を確保することによって、切削加工時の工具寿命を大幅に増加し、粗形材の被削性を改善することができる。従来の技術では鋼の炭素量を増加すると粗形材の硬さが上昇して切削加工ができなくなっていた。一方、本発明によると、十分な固溶Ａｌ量を確保することによって、粗形材の硬さが上昇しても切削加工が可能となり、鋼の炭素量を増加することが可能となる。
（ｇ）  Ｃｒはθ炭化物（セメンタイト）中に濃化してθ炭化物を安定化することによって、高周波焼入れ時に炭化物のオーステナイトへの溶け込みを阻害し、硬化層の硬さムラの原因となる。このため、Ｃｒを添加する場合は、その添加量を制限する。Ｖ、Ｎｂ、Ｔｉを添加する場合、過剰の添加はＣｒと同様に硬化層の硬さムラの原因となるのみならず、粗形材硬さも上昇し、加工性が低下するので添加量を制限する。
（ｈ）  高周波焼入れ用鋼から粗形材を製造する際の焼鈍の条件によっては、粗形材内に黒鉛粒が発生する場合がある。上記粗形材に対して切削加工及び／または冷間加工を行う際に、粗形材内に一定以上のサイズの黒鉛粒が一定量以上存在していると、高周波焼入れの短時間加熱では黒鉛粒がオーステナイト中に十分に溶け込まないため、硬化層の硬さムラの原因となる。更に、黒鉛粒がオーステナイトに溶け込んだ場合でも、黒鉛粒の存在していた位置にボイドが残り、部品の特性を低下させる場合がある。これらの理由により、粗形材内の黒鉛の析出量を制限する必要がある。
【００２６】
以下、本発明について詳細に説明する。まず、本発明の一態様に係る高周波焼入れ用鋼の各成分の限定理由について説明する。なお、成分の含有量％は質量％を意味する。
【００２７】
Ｃ：０．７５％超〜１．２０％
Ｃは高周波焼入れ後の表面硬さを確保する作用と、部品の心部の硬さを確保するために添加する。通常、浸炭処理された部品の表面炭素量は０．８０％程度である。高周波焼入れ鋼部品において浸炭部品と同等の歯面疲労強度（３００℃焼戻し硬さ）を得るためには、高周波焼入れ用鋼の炭素量を従来の場合よりも増加する必要がある。添加量が少ないと浸炭部品に匹敵する歯面疲労強度が得られないので、炭素量は０．７５％を超えて添加する必要がある。Ｃを１．２０％を超えて添加すると粗形材の硬さの上昇を通じて部品の切削・鍛造等の加工を行うときの加工性が顕著に劣化する。従って、０．７５％超〜１．２０％の範囲にする必要がある。Ｃ量の好適な範囲は０．７６〜０．９０％である。
【００２８】
Ｓｉ：０．００２〜３．００％
Ｓｉは高炭素鋼に添加された場合、焼戻し時に析出するε炭化物から比較的粗大なθ炭化物への遷移を抑制し、低温焼戻しマルテンサイト鋼の焼戻し軟化抵抗を顕著に増加する。これによって鋼の歯面疲労強度が向上する。この効果を得るために、本発明の高周波焼入れ用鋼には、Ｓｉを０．００２％以上添加する必要がある。この効果はＳｉの添加量が多いほど大きいが、３．００％を超えて添加すると粗形材の硬さの上昇を通じて部品の切削・鍛造等の加工を行うときの加工性が顕著に劣化する。また、Ｓｉはフェライトを安定化するため、３．００％を超えて添加すると高周波焼入れ時にフェライトが残留し、均一なオーステナイト相が得られなくなり、この結果として、焼入れ後に均一なマルテンサイト組織が得られなくなる。従って、Ｓｉ量を０．００２〜３．００％の範囲にする必要がある。Ｓｉ量の好適な範囲は０．２０〜１．５０％である。特に黒鉛量を規制する必要がある場合は、Ｓｉ量を０．５０％未満にしてもよい。
【００２９】
Ｍｎ：０．２０〜２．００％
Ｍｎは鋼の焼入性を高める効果があるので浸炭焼入れ時にマルテンサイト組織を得るために有効である。この効果を得るために、本発明の高周波焼入れ用鋼にはＭｎを０．２０％以上添加する必要がある。一方、２．００％を超えて添加すると粗形材の硬さの上昇を通じて部品の切削・鍛造等の加工を行うときの加工性が顕著に劣化する。従って、Ｍｎ量を０．２０〜２．００％の範囲にする必要がある。Ｍｎ量の好適な範囲は０．３０〜１．００％である。
【００３０】
Ｓ：０．００２〜０．１００％
ＳはＭｎと結合してＭｎＳを形成し、添加量を増加するほど被削性を向上させる効果を持つ。この効果を得るために、本発明の高周波焼入れ用鋼にはＳを０．００２％以上添加する必要がある。一方、０．１００％を超えて添加するとＭｎＳが疲労亀裂の伝播経路となることによって歯車等の製品の曲げ疲労強度が低下する。従って、Ｓ量を０．００２〜０．１００％の範囲にする必要がある。Ｓ量の好適な範囲は０．０１０〜０．０５０％である。
【００３１】
Ａｌ：０．０５０％超〜３．００％
Ａｌが粗形材中において固溶状態にある場合、粗形材の切削加工において工具寿命を顕著に改善する効果を持つ。これは、粗形材の固溶Ａｌが切削中に酸素と反応して硬質のＡｌ２Ｏ３の被膜を形成し、この被膜が工具の摩耗を抑制するためである。この工具を保護するＡｌ２Ｏ３の被膜は、粗形材の固溶Ａｌが大気中の酸素、又は切削油中の酸素、又は工具表面のホモ処理膜（Ｆｅ３Ｏ４）中の酸素と反応して形成される。ホモ処理膜とは水蒸気処理とも言われ、工具に耐食性などを付与するために、水蒸気中で熱処理を行うことによって生成された、厚さ数μｍの鉄酸化膜である（参考：日本熱処理技術協会編著：「熱処理技術便覧」日刊工業新聞社、東京、２０００年発行、Ｐ５６９記載）。工具を保護するこの被膜が存在することにより、被切削物（粗形材）と工具との直接接触が妨げられ、工具の凝着摩耗が抑制される。従来技術においては、粗形材の硬さが上昇すると工具摩耗が顕著に増加するため、粗形材の炭素量の増加は実用上不可能であった。一方、本発明では、Ａｌを多量に添加することによって粗形材の硬さの上昇に対する工具摩耗の増加量が抑制されるため、従来技術よりも高周波焼入れ用鋼の炭素量を増加しても工業生産が可能となる。また、Ａｌは低温焼戻しマルテンサイト鋼の焼戻し挙動に対してＳｉと同様の効果を持ち、焼戻し軟化抵抗を顕著に増加することによって歯面疲労強度を向上するのに有効である。この効果を得るために、本発明の高周波焼入れ用鋼には、Ａｌを０．０５０％超、添加する必要がある。一方、Ａｌはフェライトを安定化するため、３．００％を超えて添加すると高周波焼入れ時にフェライトが残留し、均一なオーステナイト相が得られなくなる。この結果として、焼入れ後に均一なマルテンサイト組織が得られなくなる。従って、Ａｌ量を０．０５０％超〜３．００％の範囲にする必要がある。Ａｌ量の好適な範囲は０．１００〜１．００％である。
【００３２】
Ｐ：０．０５０％以下
Ｐは、不可避的不純物であり、オーステナイト粒界に偏析して、旧オーステナイト粒界を脆化させることによって粒界割れの原因となるので、できるだけ低減することが望ましい。このため、本発明では、高周波焼入れ用鋼のＰ量を０．０５０％以下の範囲にする必要がある。本発明の課題に関して特にＰ量の下限は無いが、Ｐ量を０．００１％以下に制限するには過剰なコストがかかる。したがって、Ｐ量の好適な範囲は０．００１〜０．０１５％である。
【００３３】
Ｎ：０．０２００％以下
Ｎは鋼中でＡｌと結合してＡｌＮを形成し、ＡｌＮがオーステナイト結晶粒界をピン止めすることによって粒成長を抑制し、組織の粗大化を防止する働きがある。一般に、高周波加熱は加熱時間が極めて短時間であるため、積極的にＡｌＮを利用しない場合でも結晶粒は粗大化しにくい。しかしながら結晶粒の微細化を積極的に図りたい場合はＮを積極的に添加しても良い。一方、過剰に添加すると１０００℃以上の高温域における延性が低下し、連続鋳造、圧延時の歩留まり低下の原因になる。このため、本発明では、高周波焼入れ用鋼のＮ量を０．０２００％以下に制限する必要がある。Ｎ量の好適な範囲は０．００５０〜０．０１２０％である。
【００３４】
Ｏ：０．００３０％以下
Ｏは酸化物系介在物を形成し、含有量が多い場合は疲労破壊の起点となる大きな介在物が増加し、疲労特性の低下の原因となるので、できるだけ低減することが望ましい。このため本発明では、高周波焼入れ用鋼のＯ量を０．００３０％以下に制限する必要がある。本発明の課題に関して特にＯ量の下限は無いが、Ｏ量を０．０００１％以下に制限するには過剰なコストがかかる。従って、Ｏ量の好適な範囲は０．０００１〜０．００１５％以下である。
【００３５】
Ｂ：０．０００５〜０．００５０％
Ｂは必要に応じて本発明の高周波焼入れ用鋼に添加可能な任意成分である。Ｂはオーステナイト中に固溶している状態において、微量で鋼の焼入性を大きく高める効果があるため、浸炭焼入れ時にマルテンサイト組織を得るために有効な元素である。この効果を得るために、本発明では、高周波焼入れ用鋼に０．０００５％以上のＢを添加してもよい。一方、０．００５０％を超えて添加しても効果が飽和する。従ってＢを添加する場合、Ｂ量を０．０００５〜０．００５０％の範囲にする。Ｂ量の好適な範囲は０．００１０〜０．００２５％である。なお、鋼中に一定量以上のＮが存在している場合、ＢがＮと結合してＢＮを形成し、固溶Ｂ量が減少することによって焼入性を高める効果が得られない場合があるため、Ｂを添加する場合にはＮを固定するＴｉやＡｌを同時に適量添加することが望ましい。
【００３６】
Ｃｒ：０．０５％〜０．３０％未満
Ｃｒは必要に応じて本発明の高周波焼入れ用鋼に添加可能な任意成分である。Ｃｒはパーライト変態にあたって、ラメラ間隔を顕著に微細化させる効果があるので、粗形材の硬さが大きく増加し、加工性を劣化させる。また、θ炭化物中に濃化して安定化することによって、高周波焼入れ時の炭化物のオーステナイトへの溶け込みを阻害し、硬化層の硬さムラの原因となる。従って、Ｃｒを添加する場合は、Ｃｒ添加量を０．３０％未満に制限する。一方、Ｓｉ、Ａｌ添加量が多く、かつ焼鈍時間が長い場合にはθ炭化物が黒鉛化し、高周波焼入れ性が低下する場合がある。このため、これを防ぐ目的で、本発明では、高周波焼入れ用鋼にＣｒを少量添加しても良い。黒鉛化の防止に必要なＣｒ量の下限値は０．０５％である。従って、Ｃｒを添加する場合は、Ｃｒ添加量を０．０５％〜０．３０％未満の範囲にする。Ｃｒ量の好適な範囲は０．１０〜０．２０％である。
【００３７】
Ｍｏ：０．０１〜１．００％
Ｍｏは必要に応じて本発明の高周波焼入れ用鋼に添加可能な任意成分である。Ｍｏは鋼の焼入性を高める効果があるので、浸炭焼入れ時にマルテンサイト組織を得るために有効な元素である。この効果を得るために、Ｍｏを０．０１％以上添加してもよい。一方、１．００％を超えて添加すると添加コストが過大となるとともに、粗形材の硬さの上昇を通じて部品の切削・鍛造等の加工を行うときの加工性が顕著に劣化するため、工業生産上望ましくない。従ってＭｏを添加する場合、Ｍｏ量を０．０１〜１．００％の範囲にする。Ｍｏ量の好適な範囲は０．１０〜０．６０％である。また、特に切削・鍛造時の加工性を少しでも劣化させずに、できるだけ焼入れ性を高めたいという場合は、Ｍｏを微量に添加することが好ましい。すなわち、添加量を０．０１〜０．０５％未満の範囲にすれば、粗形材の硬さの上昇による加工性の低下は実質上無視できるほど小さなものとなり、なおかつ明確な焼入れ性向上効果も得られる。この理由は、Ｍｏは少量の添加でも比較的大きな焼入れ性向上効果を示す元素であるからである。特にＢを複合添加すれば、微量の添加でも焼入れ性向上効果に対して大きな複合添加効果が得られる。
【００３８】
Ｃｕ：０．０５〜１．００％
Ｃｕは必要に応じて本発明の高周波焼入れ用鋼に添加可能な任意成分である。Ｃｕは鋼の焼入性を高める効果があるので、浸炭焼入れ時にマルテンサイト組織を得るために有効である。この効果を得るために、Ｃｕを０．０５％以上添加してもよい。しかしながら１．００％を超えて添加すると１０００℃以上の高温域における延性が低下し、連続鋳造、圧延時の歩留まり低下の原因になる。従って、Ｃｕを添加する場合、添加量を０．０５〜１．００％の範囲にする。添加Ｃｕ量の好適な範囲は０．０１０〜０．５０％である。なお、高温域の延性を改善するために、Ｃｕを添加する場合にはＣｕ添加量の１／２以上の量のＮｉを同時に添加することが望ましい。
【００３９】
Ｎｉ：０．０５〜２．００％
Ｎｉは必要に応じて本発明の高周波焼入れ用鋼に添加可能な任意成分である。Ｎｉは鋼の焼入性を高める効果があるので浸炭焼入れ時にマルテンサイト組織を得るために有効な元素である。この効果を得るために、Ｎｉを０．０５％以上添加してもよい。一方、２．００％を超えて添加すると添加コストが過大となり、工業生産上望ましくない。従って、Ｎｉを添加する場合、添加量を０．０５〜２．００％の範囲にする。Ｎｉ量の好適な範囲は０．４０〜１．６０％である。
【００４０】
Ｖ：０．００５〜０．２０％未満
Ｖは必要に応じて本発明の高周波焼入れ用鋼に添加可能な任意成分である。Ｖは鋼中でＮ、Ｃと結合してＶ（Ｃ、Ｎ）を形成し、Ｖ（Ｃ、Ｎ）がオーステナイト結晶粒界をピン止めすることによって粒成長を抑制することによって組織の粗大化を防止する働きがある。この効果を得るために、Ｖを０．００５％以上添加してもよい。一方、０．２０％以上添加すると粗形材の硬さの上昇を通じて部品の切削・鍛造等の加工を行うときの加工性が顕著に劣化する。また、Ｖ（Ｃ、Ｎ）の生成量が過大となり、高周波焼入れ時に硬化層の硬さムラの原因となる。従って、Ｖを添加する場合、添加量を０．００５〜０．２０％未満の範囲にする。Ｖ量の好適な範囲は０．０５〜０．１０％である。
【００４１】
Ｎｂ：０．００５〜０．１０％
Ｎｂは必要に応じて本発明の高周波焼入れ用鋼に添加可能な任意成分である。Ｎｂは鋼中でＮ、Ｃと結合してＮｂ（Ｃ、Ｎ）を形成し、Ｎｂ（Ｃ、Ｎ）がオーステナイト結晶粒界をピン止めすることによって粒成長を抑制することによって組織の粗大化を防止する働きがある。この効果を得るために、Ｎｂを０．００５％以上添加してもよい。一方、０．１０％を超えて添加すると粗形材の硬さの上昇を通じて部品の切削・鍛造等の加工を行うときの加工性が顕著に劣化する。また、Ｎｂ（Ｃ、Ｎ）の生成量が過大となり、高周波焼入れ時に硬化層の硬さムラの原因となる。従って、Ｎｂを添加する場合、添加量を０．００５〜０．１０％の範囲にする。Ｎｂ量の好適な範囲は０．０１０〜０．０５０％である。
【００４２】
Ｔｉ：０．００５〜０．１０％
Ｔｉは必要に応じて本発明の高周波焼入れ用鋼に添加可能な任意成分である。Ｔｉは鋼中でＮ、Ｃと結合してＴｉ（Ｃ、Ｎ）を形成し、Ｔｉ（Ｃ、Ｎ）がオーステナイト結晶粒界をピン止めすることによって粒成長を抑制することによって組織の粗大化を防止する働きがある。この効果を得るために、Ｔｉを０．００５％以上添加してもよい。一方、０．１０％を超えて添加すると粗形材の硬さの上昇を通じて部品の切削・鍛造等の加工を行うときの加工性が顕著に劣化する。また、Ｔｉ（Ｃ、Ｎ）の生成量が過大となり、高周波焼入れ時に硬化層の硬さムラの原因となる。従って、Ｔｉを添加する場合、添加量を０．００５〜０．５０％の範囲にする。Ｔｉ量の好適な範囲は０．０１５〜０．０５０％である。
【００４３】
Ｃａ、Ｚｒ、Ｍｇ：０．０００５〜０．００３０％
Ｃａ、Ｚｒ、Ｍｇは必要に応じて本発明の高周波焼入れ用鋼に添加可能な任意成分である。Ｃａ、Ｚｒ、Ｍｇは、共に、ＭｎＳの形態制御、及び切削時の切削工具表面における保護被膜形成を通じて鋼の被削性を向上する働きがある。この効果を得るために、Ｃａ、Ｚｒ、Ｍｇのいずれか１種又は２種以上をそれぞれ０．０００５％以上添加してもよい。一方、０．００３０％を超えて添加すると、粗大な酸化物や硫化物を形成して部品の疲労強度に悪影響を与える場合がある。従って、Ｃａ、Ｚｒ、Ｍｇを添加する場合、添加量は０．０００５〜０．００３０％の範囲にする。Ｃａ、Ｚｒ、Ｍｇ合計添加量の好適な範囲は０．０００８〜０．００２０％である。
【００４４】
本発明では、上記成分の他、本発明の効果を損なわない範囲で、Ｐｂ、Ｔｅ、Ｚｎ、Ｓｎ等を添加することができる。Ｐｂ、Ｔｅ、Ｚｎ、Ｓｎは必要に応じて本発明の高周波焼入れ用鋼に添加可能な任意成分である。本発明の効果を損なわないためには、これらの添加成分の添加量の上限をそれぞれ、Ｐｂ：０．５０％以下、Ｔｅ：０．００３０％以下、Ｚｎ：０．５０％以下、Ｓｎ：０．５０％以下、とすればよい。
【００４５】
Ａｌ−（２７／１４）×Ｎ＞０．０５０％
前述のように、Ａｌは鋼中において固溶状態にある場合、鋼部品の切削加工において工具寿命を顕著に改善する効果を持つので、０．０５０％超〜３．００％の範囲で添加する。一方、Ａｌは鋼中のＮと結びついてＡｌＮを形成し、析出物の形態を取る場合がある。しかしながら析出物として存在しているＡｌは工具寿命の改善に有効ではない。特に本発明のように、熱間鍛造後に徐冷を行う場合や、切削加工前に焼鈍を施す場合は、熱間鍛造後に放冷する工程に比べてＡｌＮが析出しやすい。従って、固溶状態のＡｌ量を確実に確保するためには、ＡｌをＡｌＮを形成すると予測される量よりも過剰に添加する必要があり、そのためにはＡｌとＮとの関係式を規定する必要がある。すなわち、固溶Ａｌ量の指標の式である「Ａｌ−（２７／１４）×Ｎ」の値が０．０５０％を超えていれば、確実に工具寿命の改善効果を得ることができる。本発明の高周波焼入れ用鋼について「Ａｌ−（２７／１４）×Ｎ」の理論的な上限値は３．００％であり、好適範囲は０．１００〜１．００％である。
【００４６】
本発明の一態様に係る高周波焼入れ用粗形材では、鋼成分および焼鈍条件の調整によって、十分な歯面疲労強度と加工性を両立する。また、粗大な黒鉛粒の発生を抑制し、平均粒径０．５μｍ以上の黒鉛粒の個数を４０個／ｍｍ２以下とする。粗形材中の黒鉛粒の量がこの範囲であれば、この粗形材に高周波焼入れを行った後、硬化層の硬度が均一になり、黒鉛粒に起因するボイドの発生を抑制できる。本発明に係る高周波焼入れ用鋼を用いて粗形材を製造する際に、適切な条件で焼鈍を行えば、平均粒径０．５μｍ以上の黒鉛粒の個数を０個／ｍｍ２とすることも可能である。つまり、鋼組成によっては、鋳造後、過度の除冷を行ったり、焼鈍温度６００℃〜７２０℃の温度域で、３００分以上の焼鈍を行うと黒鉛が生成する可能性があるので、このような温度域で過度に長時間の焼鈍を行うことを避ければ、黒鉛の生成を抑制することができる。
高温、長時間の焼鈍を行う場合、高周波焼入れ用鋼の組成を調整し、下の（１）式で規定される黒鉛化定数ＣＥを１．８以下にすることが好ましい。特に高温の焼鈍を行う場合は、ＣＥを１．２８以下にすることが更に好ましい。
ＣＥ＝Ｃ＋Ｓｉ／３−Ｍｎ／１２＋Ａｌ／６＋Ｃｕ／９＋Ｎｉ／９−Ｃｒ／９−Ｍｏ／９＋Ｂ  …  （１）
なお、式（１）で、Ｃ、Ｓｉ、Ｍｎ、Ａｌ、Ｃｕ、Ｎｉ、Ｃｒ、Ｍｏ、Ｂは、高周波焼入れ用鋼に含まれる各元素の質量％を示す。
【００４７】
本発明の一態様に係る高周波焼入れ粗形材の製造方法では、上記の組成を持つ高周波焼入れ用鋼に対して、温間加工または熱間加工、冷却、焼鈍、の工程を順次行う。上記焼鈍の加熱温度は６８０〜８００℃、加熱時間は１０〜３６０分の条件で行う。これらの条件を用いる理由を以下に説明する。
【００４８】
温間加工の例としては温間鍛造、熱間加工の例としては熱間鍛造、或いは熱間圧延が挙げられる。従来技術に係る炭素量が比較的少ない鋼に温間加工または熱間加工を施して粗形材を製造すると、この粗形材の組織は主に（９５％以上）フェライト又はパーライト組織となる。この場合、粗形材の硬さは軟質なフェライトの量や、フェライト自体の硬さに大きく影響を受ける。このような粗形材を軟質化させる対策としては、加工と熱処理を組み合わせてフェライト分率を大きくする方法や、フェライトを固溶強化する元素の添加量を抑制する方法等がある。
これに対して、本発明の高周波焼入れ用鋼では炭素量が０．７５％を超える。このため、この鋼を用いて、粗形材を温間鍛造、熱間鍛造、または熱間圧延のいずれによって製造しても、粗形材の組織は大部分がパーライトでごく少量のフェライト組織を含むか、又は実質的に全て（９５％以上）がパーライト組織となる。従って、このような粗形材の強度にはパーライト組織の強度が支配的な影響を持つ。パーライト組織の強度はパーライトのラメラ間隔に関係する。パーライトを主に含む鋼の軟質化のためには焼鈍によって微細なパーライトラメラの形態を変化させ、θ炭化物が粗分散した組織にすることが極めて有効である。すなわち、焼鈍による軟質化の効果は、低・中炭素鋼のフェライト及びパーライト組織の場合よりも、高炭素鋼のパーライト組織の場合の方が大きい。また、焼鈍の加熱温度が低いとパーライトラメラの形態がほとんど変化しないために十分な軟質化効果が得られない。このため、６８０℃以上の温度で焼鈍を行う必要がある。一般に、加熱温度が高いほど微細なパーライトラメラが崩れるとともにθ炭化物が粗分散する。しかし焼鈍温度が８００℃を超える場合は、オーステナイトの生成量が多くなり、焼鈍温度から冷却されるときに再び微細なラメラを持つパーライトに変態するため、軟質化効果が得られなくなる。従って、焼鈍温度を６８０〜８００℃の範囲にする必要がある。好適な焼鈍温度の範囲は７００〜７７０℃である。焼鈍の加熱時間が短すぎるとパーライトラメラの形態がほとんど変化しないために十分な軟質化効果が得られないため、焼鈍の加熱を１０分以上行う必要がある。他方、焼鈍の加熱を３６０分を超えて行う場合は生産性が低下するため、工業生産上望ましくない。従って、焼鈍の加熱時間は１０〜３６０分の範囲にする必要がある。焼鈍の加熱時間の好適な範囲は３０〜３００分である。なお、焼鈍後の冷却条件については特に規定しないが、小さい冷却速度で冷却（徐冷）した方が鋼がより軟質化されるため、必要に応じて徐冷を行うことが望ましい。７５０〜６５０℃の温度範囲の平均冷却速度の好適な範囲は３００℃／時以下である。
【００４９】
本発明の別の一態様に係る高周波焼入れ用粗形材の製造方法では、上記の組成を持つ高周波焼入れ用鋼に対して、熱間加工、冷却、の工程を順次行う。上記熱間加工に引き続く冷却工程において、７５０〜６５０℃の温度範囲の平均冷却速度が３００℃／時以下とする。この態様では、必ずしも焼鈍は行わない。この冷却条件を用いる理由を、以下に述べる。
【００５０】
上述のように、粗形材の硬さはパーライト組織の強度の影響（パーライトラメラ間隔）が支配的であり、その軟質化のためには焼鈍が極めて有効である。しかしながら、部品の製造コストや生産性の改善のためには、焼鈍を省略した方が有利である。このため、熱間鍛造、或いは熱間圧延の熱間加工に引き続く冷却速度を調整し、パーライト変態温度域を徐冷し、高温でパーライト変態をさせることによってパーライトラメラ間隔を増加させ、鋼組織を軟質化することもできる。また、このような徐冷を行うことによって、パーライト変態が完了した後にも引き続いて高温域に滞留することになるため、焼鈍と同様の効果も得ることができる。徐冷を行う温度範囲が７５０℃を超える場合はパーライト変態が起こり得ない温度域を徐冷することになるので軟質化の効果が得られない。また徐冷を行う温度範囲が６５０℃未満の場合は、パーライト変態が低温で開始することになる。このため、パーライトラメラ間隔の増加が不十分となり、軟質化も不十分となるだけでなく、徐冷によるパーライト変態後の焼鈍効果も小さくなる。従って、徐冷を行う温度範囲を７５０〜６５０℃の範囲にする必要がある。徐冷を行う温度範囲の好適な範囲は７４０〜６８０℃の範囲である。また、平均冷却速度が３００℃／時を超える場合はパーライト変態が完了した後に引き続いて高温域に滞留させる時間が不足して焼鈍効果が小さくなる。従って、徐冷を行う温度範囲での平均冷却速度を３００℃／時以下にする必要がある。徐冷を行う温度範囲での平均冷却速度の好適な範囲は２００℃／時以下である。上記で限定した冷却速度は７５０〜６５０℃の間の平均冷却速度であって、必ずしも連続的に冷却を行う必要はなく、上記の諸条件を満足する条件であれば冷却の過程で一定温度に保定期間があっても良い。生産性を確保するため、平均冷却速度の下限は８０℃／時以上が好ましい。
上記のように徐冷を行う場合、冷却後の焼鈍を行わなくても良いが、徐冷に前述の条件の焼鈍を組み合わせて行っても良い。この場合、徐冷や焼鈍を単独で行う場合よりもさらに大きな軟質化の効果が得られる。
【００５１】
本発明の一態様に係る高周波焼入れ鋼部品は、上記のいずれかの製造方法で製造した高周波焼入れ用粗形材に対して、切削加工および／または冷間加工、高周波焼入れを施し、必要に応じて更に低温焼戻し処理を施して製造する。この鋼部品は、最表面から５０μｍ深さの表層硬化部の硬さがＨＶ６５０以上、かつ非高周波焼入れ部の硬さがＨＶ１８０以上となるように製造する。これらの限定の理由を以下に説明する。本発明の鋼部品の例としては、自動車、建機・農機、発電用風車、その他の産業機械等に使用されている動力伝達部品（たとえば、歯車、軸受、ＣＶＴシーブ、シャフト）等が挙げられる。
【００５２】
ＣＶＴシーブ、軸受類といった部品には、疲労特性や耐摩耗性を与えるために、表面硬化処理が施される。本発明に係る鋼部品では、高周波焼入れ処理がこの表面硬化処理に相当する。この処理によって浸炭部品に匹敵する疲労特性や耐摩耗性を確保するためには、表層の硬さを浸炭部品の程度に高める必要がある。表層の硬さの代表値として最表面から５０μｍの深さの硬さを選んだ。この部位の硬さがＨＶ６５０以上であれば通常の浸炭部品に匹敵する硬さと判断でき、この場合、浸炭部品に匹敵する疲労特性や耐摩耗性を得ることができる。本発明に係る鋼組成及び製造方法で得られる部品の高周波焼入れ部の硬さの好適な上限はＨＶ９５０程度である。上記部位の硬さの好適な範囲はＨＶ７００以上である。
【００５３】
高周波焼入れ（電磁誘導焼入れ）の処理条件の詳細は部品形状等によって異り、公知の一般的方法を用いることが出来る。本発明に適合する高周波焼入れの例として、例えば、リング状のコイルを用いて周波数１０〜５００ｋＨｚ、処理時間０．１〜２０秒の条件で電磁誘導による焼入れを行い、その後水冷による焼入れを行い、硬化深さを０．２〜２．５ｍｍとする条件を用いることができる。電磁誘導による加熱を行う際には、硬化層深さの均質化や歯車の輪郭焼入れのために被処理部品を１００〜２０００ｒｐｍで回転させても良い。また、急速・短時間の加熱を行うため、予め低周波電磁誘導によってＡ１点以下温度域に予熱を行っても良い。
【００５４】
高周波焼入れによる硬化は、処理条件によって、高周波焼入れ鋼部品の表面から深さ０．１ｍｍ〜３ｍｍ程度の範囲まで及ぼすことができ、これ以上の深さの鋼内部（芯部）では有意な硬化は起こらない。このような非硬化部分を非高周波焼入れ部とする。従って、非高周波焼入れ部の硬さは、高周波焼入れ前の粗形材の硬さと実質的に同等である。この非高周波焼入れ部の硬さは、内部起点の疲労強度や、歯車の低サイクル疲労強度に関係するため、過度に低すぎるのは望ましくない。一方、高周波焼入れ鋼部品全体の強度は、高周波焼入れ深さを調整することによっても向上できるため、通常浸炭部品と比較すれば、内部の硬度がある程度低くても良い。特に低サイクル疲労強度を担保するために、非高周波焼入れ部の硬さをＨＶ１８０以上にする必要があり、その好適範囲はＨＶ２００以上である。本発明に係る粗形材は、硬度が高くても、固溶Ａｌの効果によって十分な加工性が維持できるため、非高周波焼入れ部の硬さを十分に確保することが可能となる。焼入れ前の加工性を担保するために、本発明に係る鋼部品の非高周波焼入れ部の硬さの好適な上限はＨＶ２４０である。
【００５５】
本発明の上記態様に係る高周波焼入れ鋼部品に対して、高周波焼入れ処理後、又は高周波焼入れ及び低温焼戻し（３００℃以下）後に、ショットピーニング処理を行っても良い。ショットピーニング処理によって導入される部品表層の圧縮残留応力の増加は疲労亀裂の発生、進展を抑制するため、本発明の鋼によって製造された部品の歯元、及び歯面疲労強度を更に向上させることができる。ショットピーニング処理は、直径が０．７ｍｍ以下のショット粒を用い、アークハイトが０．４ｍｍ以上の条件で行うことが望ましい。
【実施例】
【００５６】
以下に、実施例により本発明を更に説明する。【００５７】
表１に示す組成を有する転炉溶製鋼を連続鋳造により製造し、必要に応じて、均熱拡散処理、分塊圧延工程を経て１６２ｍｍ角の圧延素材とした。次に熱間圧延によって直径が４５ｍｍの棒鋼形状の高周波焼入れ用鋼とした。表１の比較鋼の網掛け、下線部分は本発明の範囲外であることを示す。【００５８】
【表１】
2011122134.tif 000002
表１で、各元素の「−」は無添加を意味する。表中の下線は、数値が本発明の範囲外であることを示す。【００５９】
次に、歯車の製造工程（熱履歴）をシミュレートするため、熱間圧延鋼（高周波焼入れ用鋼）に対して表２の条件で熱間加工又は温間加工シミュレートを行った。熱間加工シミュレートにおける加熱温度は１２５０℃、温間加工シミュレートにおける加熱温度は７５０℃とした。また、熱間加工又は温間加工シミュレートの後、必要に応じて表２の条件で焼鈍処理を行った。こうして作成した粗形材のサンプルから、４５φ×１５ｍｍの円盤形状の被削性評価用試験片、大径部（試験部）２６φのローラーピッチング試験片を作成した。【００６０】
各試験水準の円盤試験片のうち、１本ずつについて、直径方向断面における直径の１／４部の位置のビッカース硬さ測定した。粗形材の硬さがＨＶ２４０超のものは加工性（冷鍛性、被削性）に劣ると判定した。【００６１】
【表２】
2011122134.tif 000003
表２の「熱間加工又は温間加工後の冷却速度」は、７５０〜６５０℃の温度範囲での平均冷却速度を示す。表２の、鋼Ｎｏ．、熱鍛後の冷却速度、熱鍛後徐冷の終了温度、焼鈍条件、硬化層の硬さ、非高周波焼入れ部の硬さの下線は本発明の範囲外であることを意味する。粗形材の硬さ、粗形材を切削、加工する時の工具寿命、高周波焼入れ鋼部品の硬化層の３００℃焼戻し硬さ、ローラーピッチング疲労強度の下線は目標未達成であることを意味する。【００６２】
上記の円盤試験片に対して、表３に示す条件で被削性の評価試験（工具寿命の測定）を行った。被削性評価試験の条件は、ドリルによる穴の総深さが１０００ｍｍに達する最大の切削速度（ｍ／ｍｉｎ）を求めることにより、工具寿命の指標とした。この指標が７０ｍ／ｍｉｎに達しないものは被削性に劣ると判定した。【００６３】
【表３】
2011122134.tif 000004
【００６４】
上記のローラーピッチング試験片に対して、大径部（試験部）に硬化層深さが２ｍｍとなる条件で高周波焼入れ処理を行い、引き続いて１５０℃×９０分の条件で焼戻し処理を行った後、疲労試験の試験精度を向上するため、つかみ部に仕上げ加工を施した。ローラーピッチング試験は、大ローラー：ＳＣＭ４２０浸炭品・クラウニング１５０Ｒ、回転数：２０００ｒｐｍ、潤滑油：トランスミッション油、油温８０℃、すべり率：４０％、最大１０００万回の条件で行い、Ｓ−Ｎ線図を作成して疲労限を求め、ローラーピッチング疲労強度とした。ローラーピッチング疲労強度が２６００ＭＰａに達しないものは歯面疲労強度が劣ると判定した。【００６５】
各製造Ｎｏ．につき、上記の高周波焼入れ・焼戻し処理を行った各試験水準のローラーピッチング試験片の１本の大径部を切断し、断面において表層から５０μｍの部位のビッカース硬さ測定を行った。この測定結果を焼入れ硬化層の硬さとした。各製造Ｎｏ．につき、別の１本づつの試験片について更に３００℃×９０分の条件で焼戻しを行い、大径部を切断し、断面において表層から５０μｍの部位のビッカース硬さ測定を行うことによって３００℃焼戻し硬さを求めた。３００℃焼戻し硬さがＨＶ６３０に達しないものは３００℃焼戻し硬さに劣り、ひいては歯面疲労強度に劣ると判定した。【００６６】
これらの評価結果を表２に示す。製造Ｎｏ．１〜２５の本発明例はいずれも目標を達成しており、優れた加工性を持ち、かつ歯面疲労強度も十分であった。一方、製造Ｎｏ．２６は、鋼成分に関しては本発明の範囲内だったが、熱鍛後の徐冷も焼鈍も行っていないため粗形材の硬さが高く、加工性が劣っていた。製造Ｎｏ．２７は焼鈍温度が低すぎ、製造Ｎｏ．２８は焼鈍温度が高すぎるので粗形材の硬さが高く、加工性が劣っていた。製造Ｎｏ．２９は熱鍛後の冷却速度が大きすぎ、また焼鈍温度も低すぎるため粗形材の硬さが高く、加工性に劣っていた。製造Ｎｏ．３０、３１は炭素量が少ないため粗形材の硬さが低く、加工性は優れているが、３００℃焼戻し硬さが低く、ローラーピッチング疲労強度も低かった。製造Ｎｏ．３２はＣｒの添加量が多すぎるため徐冷や焼鈍による軟質化効果が十分に得られず、加工性が劣る。さらに、高周波焼入れ時の炭化物のオーステナイトへの溶け込みが不十分であるため、十分な硬化層の硬さが得られず、その影響で３００℃焼戻し硬さも低く、ローラーピッチング疲労強度も低かった。製造Ｎｏ．３３はＶの添加量が多すぎるため徐冷や焼鈍による軟質化効果が十分に得られず、加工性が劣る。さらに、高周波焼入れ時の炭化物のオーステナイトへの溶け込みが不十分であるため、十分な硬化層の硬さが得られず、その影響で３００℃焼戻し硬さも低く、ローラーピッチング疲労強度も低かった。製造Ｎｏ．３４、３５、３６はＡｌの添加量が少なすぎるため、固溶Ａｌによる工具寿命の改善効果を得ることができなかった。このため、粗形材の硬さが低かったのにも関わらず切削加工時の工具寿命が劣っていた。製造Ｎｏ．３７はＣの添加量が多すぎたため徐冷や焼鈍を施しても目標の値まで軟質化させることができず、加工性が劣っていた。製造Ｎｏ．３８について、鋼Ｖの個々の鋼成分に関しては本発明の範囲だったが、ＣＥ値が本発明の推奨値を超えていた。このため、粗形材の段階で本発明の範囲を超える数の黒鉛が析出していた。これにより、高周波焼入れ後の硬化層の硬さ、及び硬化層の３００℃硬さが不足していた。さらに、硬化層において、元々黒鉛粒のあった位置にボイドが生成するため、ローラーピッチング疲労強度も低かった。製造Ｎｏ．３９は鋼成分系に関しては本発明の範囲だったが、粗形材を作成する際の焼鈍時間が非常に長かったため、本発明の範囲を超える数の黒鉛が析出していた。これにより、高周波焼入れご後硬化層の硬さ、及び硬化層の３００℃硬さが不足していた。また、黒鉛の析出によって粗形材の硬さが低下したことにより、高周波焼入れ後の非高周波焼入れ部の硬さも必然的に低く、かつ硬化層にボイドが存在していたことにより、ローラーピッチング疲労強度も低かった。
【産業上の利用可能性】
【００６７】
本発明の各態様に係る高周波焼入れ用鋼、高周波焼入れ用粗形材、その製造方法、及び高周波焼入れ鋼部品は、自動車、建機・農機、発電用風車、その他の産業機械等に使用されている動力伝達部品（たとえば、歯車、軸受、ＣＶＴシーブ、シャフト）等に適用でき、部品成型時の加工性と高周波焼入れ処理した鋼部品の疲労強度の両立を実現できる。このため、浸炭処理を高周波処理によって代替することが可能となる。これにより、表面硬化処理を連続化でき、環境への負担を低化でき、部品精度を向上できる。
【国際調査報告】
2011122134.tif 000005
2011122134.tif 000006
2011122134.tif 000007
2011122134.tif 000008